(57)【特許請求の範囲】
【請求項１】
保持具本体の中心に開口を有し、哺乳瓶を前記開口内に嵌合して固定し、前記保持具本体の外周部により前記哺乳瓶を支持する哺乳瓶保持具において、
前記開口と対応する形状の栓を設け、前記開口と前記栓とを嵌合させて遊技可能としたことを特徴とする哺乳瓶保持具。
【請求項２】
前記保持具本体は、柔軟性のある素材で形成するようにしたことを特徴とする請求項１に記載の哺乳瓶保持具。
【請求項３】
前記開口は、前記哺乳瓶の外形より小さい内径とし、前記開口の周囲に凹凸を設けるようにしたことを特徴とする請求項１に記載の哺乳瓶保持具。
【請求項４】
前記外周部に凹凸を設けるようにしたことを特徴とする請求項１に記載の哺乳瓶保持具。
【請求項５】
前記保持具本体にデザインを施すようにしたことを特徴とする請求項１に記載の哺乳瓶保持具。
【請求項６】
前記開口と対応する形状の栓を設け、前記開口と前記栓とを嵌合させて遊技可能としたことを特徴とする請求項１に記載の哺乳瓶保持具。
【発明の詳細な説明】
【技術分野】
【０００１】
本発明は、哺乳瓶に取り付けて授乳し易くすると共に、哺乳瓶の転倒を防止するようにした哺乳瓶保持具に関する。
【背景技術】
【０００２】
従来の哺乳瓶では、哺乳瓶の中に適度に温められたミルクを入れ、乳首キャップを被せ、哺乳瓶の乳首キャップを乳児の口にくわえさせて、乳児にミルクを飲ませるようにしている。授乳時には、乳児の口元に哺乳瓶が保持されるように、添人が哺乳瓶を手に持って支えながら、適量のミルクを乳児に飲ませるようにしている。
【０００３】
しかしながら、授乳時に、ミルクを飲み終わるまで、哺乳瓶を手でもって支えるのは、添人にとって大変な作業である。乳児が自分で哺乳瓶を持てるようになれば良いが、乳児の小さな手では、哺乳瓶を自分で持ってミルクを飲むことは困難である。
【０００４】
そこで、例えば、特許文献１に示されるように、弾力性を備えた材質をもって象形形状に形成した保持具本体に、哺乳瓶を嵌合保持するための哺乳瓶保持溝を形成し、この哺乳瓶保持溝に哺乳瓶を取り付け、添人なしに乳児にミルクを飲ますことができるようにしたものが提案されている。
【特許文献１】特開平７−２８９６１１号公報
【発明の開示】
【発明が解決しようとする課題】
【０００５】
ところが、哺乳瓶には、外径や形状が異なる様々ものがある。特許文献１に示される哺乳瓶保持具は、哺乳瓶保持溝に哺乳瓶を取り付けるものであり、多種多様な哺乳瓶に対応できない。また、ミルクを飲ませている間に、乳児が暴れたり、寝返りを打ったりすることがある。特許文献１のものでは、哺乳瓶の角度が哺乳瓶保持溝の角度により決まってしまい、乳児の動きに対応できない。また、特許文献１に示される哺乳瓶保持具では、ミルクを飲んでいる間に乳児が少し暴れると、哺乳瓶保持溝から哺乳瓶が外れてしまう可能性がある。
【０００６】
本発明は、上述の課題を鑑み、授乳の労力が軽減できると共に、哺乳瓶が転倒して転がることを防止できるようにした哺乳瓶保持具を提供することを目的とする。
【課題を解決するための手段】
【０００７】
本発明に係わる哺乳瓶保持具は、保持具本体の中心に開口を有し、哺乳瓶を開口内に嵌合して固定し、保持具本体の外周部により哺乳瓶を支持するようにしたことを特徴とする。
【０００８】
好ましくは、保持具本体は、柔軟性のある素材で形成するようにしたことを特徴とする。
【０００９】
好ましくは、開口は、哺乳瓶の外径より小さい内径とし、開口の周囲に凹凸を設けるようにしたことを特徴とする。
【００１０】
好ましくは、外周部に凹凸を設けるようにしたことを特徴とする。
【００１１】
好ましくは、保持具本体にデザインを施すようにしたことを特徴とする。
【００１２】
好ましくは、開口と対応する形状の栓を設け、開口と栓とを嵌合させて遊技可能としたことを特徴とする。
【発明の効果】
【００１３】
本発明によれば、保持具本体の中心に開口を有し、哺乳瓶を開口内に嵌合して固定し、保持具本体の外周部により哺乳瓶を支持するようにしているので、乳児の腹の部分と、口元とで哺乳瓶を支持することができ、乳児が飲み易い角度で、哺乳瓶を保持できると共に、保持具本体の外周に凹凸が設けられているため、哺乳瓶が落下転倒し難くなると共に、乳児が自ら哺乳瓶を安定した角度に調整保持することができる。
【００１４】
本発明によれば、保持具本体を、柔軟性のある素材で形成することにより、哺乳瓶の外径や形状にかかわらず、保持具本体を哺乳瓶に確実に固定することができる。
【００１５】
本発明によれば、開口を哺乳瓶の外径より小さい内径とし、開口の周囲に凹凸を設けるようにしているので、哺乳瓶の外径や形状にかかわらず、保持具を哺乳瓶に確実に固定することができる。
【００１６】
本発明によれば、外周部に凹凸を有するようにしているので、哺乳瓶が落下転倒し難くなると共に、乳児が自ら哺乳瓶を安定した角度に調整し、保持することができる。
【００１７】
本発明によれば、保持具本体に意匠を施すようにしているので、乳児の興味を引くことができる。
【００１８】
本発明によれば、開口と対応する形状の付属パーツを設け、開口と付属パーツとを嵌合させて遊技可能としているので、遊び道具として使用することができる。
【発明を実施するための最良の形態】
【００１９】
第１実施形態．
以下、本発明の実施の実施形態について図面を参照しながら説明する。図１は、本発明の第１実施形態を示すものである。図１において、保持具本体１は、ウレタン等、柔軟性があり、軽量で、乳児にも安全な板状の素材で形成される。保持具本体１の外周には、凹凸２が形成される。
【００２０】
保持具本体１の中心に、哺乳瓶の外径の大きさよりも少し小さい内径の開口３が形成される。すなわち、現在販売されている哺乳瓶としては、代表的なものとして、図２（Ａ）に示すように、直径約８ｃｍの円形の瓶１１ａの上方に乳首キャップ１２ａを取り付けるようにした哺乳瓶（以下、丸形哺乳瓶）１０ａと、図２（Ｂ）に示すように、上方が円形で下方に向かうに従って外形９ｃｍの正方形に近い形の瓶１１ｂの上方に乳首キャップ１２ｂを取り付けるようにした哺乳瓶（以下、角形哺乳瓶）１０ｂとがある。その他、哺乳瓶の大きさや重さ、形状、材質には、様々な種類がある。開口３の内径は、このような一般的に販売されている哺乳瓶の外径より小さい。そして、開口３の周縁には、凹凸４が形成されている。
【００２１】
図３は、本発明が適用された哺乳瓶保持具の使用方法を示すものである。本発明が適用された哺乳瓶保持具を使用する場合には、図３に示すように、保持具本体１の開口３内に哺乳瓶１０を挿入し、保持具本体１を上下に移動させ、保持具本体１を哺乳瓶１０の瓶１１の外形に嵌合させて固定する。
【００２２】
前述したように、保持具本体１は、柔軟性のある材料で形成されている。そして、保持具本体１の中心に形成されている開口３の大きさは、哺乳瓶１０の瓶１１の外径よりも少し小さく、開口３の周縁には凹凸４が形成されている。このため、保持具本体１の開口３内に哺乳瓶１０を挿入することで、保持具本体１は哺乳瓶１０に確実に固定される。
【００２３】
つまり、丸形哺乳瓶１０ａの場合には、図４（Ａ）に示すように、開口３の周縁の凹凸４が丸形哺乳瓶１０ａの瓶１１ａの外周にキッチリと当接し、丸形哺乳瓶１０ａの瓶１１ａに保持具本体１が確実に固定される。角形哺乳瓶１０ｂの場合には、図４（Ｂ）に示すように、角形哺乳瓶１０ｂの瓶１１ｂの角が開口３の周縁の凹凸４に嵌り込み、丸形哺乳瓶１０ａの瓶１１ｂに保持具本体１が確実に固定される。
【００２４】
図１に示したように、保持具本体１の外周には、凹凸２が設けられている。このような凹凸２は、乳児でも掴むことができる。そして、このような凹凸２により、哺乳瓶１０が転倒して転がってしまうことが防止できる。
【００２５】
乳児にミルクを飲ませる場合には、図５に示すように、保持具本体１を取り付けた哺乳瓶１０を、ベッド２１で寝ている乳児２０の腹の上に載せる。保持具本体１の外周には凹凸２があるので、保持具本体１を取り付けた哺乳瓶１０を乳児２０の腹の上に載せても、哺乳瓶１０が転がり落ちることはない。このように、保持具本体１が取り付けられた哺乳瓶１０を乳児２０の腹の上に載せると、哺乳瓶１０の乳首キャップ１２が下を向き、寝ている乳児２０が乳首キャップ１２をくわえてミルクを飲むことができる。更に、保持具本体１の外周には、凹凸２が設けられており、凹凸２の部分は、小さな乳児２０の手でも、握ることができる。このため、乳児２０が自ら哺乳瓶１０を安定した角度に調整保持し、哺乳瓶１０のミルクを飲むことができる。
【００２６】
以上説明したように、本発明に係る保持具本体１を哺乳瓶１０に取り付けると、乳児２０の腹の部分と、口元とで哺乳瓶１０を支持することができ、乳児２０が自ら、哺乳瓶１０を飲み易く安定した角度に調整保持できる。そして、保持具本体１の外周に凹凸２が設けられているため、哺乳瓶が落下転倒し難くなる。
【００２７】
第２実施形態．
図６は、本発明の第２実施形態を示すものである。この実施形態では、保持具本体１の外形を、動物の形のように、乳児が喜ぶような形状とし、保持具本体１の上に、絵を描くようにしている。このように、保持具本体１にデザインを施すことで、乳児の興味を引くことができる。他の構成については、前述の第１実施形態と同様であり、その説明を省略する。
【００２８】
第３実施形態．
図７は、本発明の第３実施形態を示すものである。この実施形態では、保持具本体１の開口３と嵌合する栓５を用意し、この栓５を開口３の中に嵌めて、乳幼児が遊べるようにしたものである。栓５は、開口３を形成したときに切り取られたパーツを用いることができる。これにより、保持具本体１を遊び道具として使用することができる。他の構成については、前述の第１及び第２実施形態と同様であり、その説明を省略する。
【００２９】
本発明は、上述した実施形態に限定されるものではなく、本発明の要旨を逸脱しない範囲内で様々な変形や応用が可能である。例えば、上述の実施形態では、保持具本体に哺乳瓶を取り付けるようにしているが、本発明は、ペットボトルを取り付けて利用しても良い。
【産業上の利用可能性】
【００３０】
本発明は、授乳し易くすると共に哺乳瓶の転倒を防止するようにした哺乳瓶保持具として利用することができる。
【図面の簡単な説明】
【００３１】
【図１】本発明が適用された哺乳瓶保持具の第１実施形態の平面図である。
【図２】丸形哺乳瓶と角形哺乳瓶の説明に用いる斜視図である。
【図３】本発明が適用された哺乳瓶保持具の使用方法の説明に用いる分解斜視図である。
【図４】本発明が適用された哺乳瓶保持具を丸形哺乳瓶に装着した例と角形哺乳瓶に装着した例の説明に用いる斜視図である。
【図５】本発明が適用された哺乳瓶保持具を使用した授乳の説明に用いる斜視図である。
【図６】本発明が適用された哺乳瓶保持具の第２実施形態の平面図である。
【図７】本発明が適用された哺乳瓶保持具の第３実施形態の平面図である。
【符号の説明】
【００３２】
１  保持具本体
２  凹凸
３  開口
４  凹凸
５  栓
１０  哺乳瓶
１１ａ、１１ｂ  瓶
１２、１２ａ、１２ｂ  乳首キャップ
２０  乳児
２１  ベッド
【要約】
【課題】  授乳の労力が軽減できると共に、哺乳瓶が転倒して転がることを防止できるようにした哺乳瓶保持具を提供する。
【解決手段】  保持具本体１は、その中心に開口３を有し、哺乳瓶１０を開口３内に嵌合して固定する。授乳時には、保持具本体１を取り付けた哺乳瓶１０を乳児２０の腹の上に載せる。哺乳瓶１０の乳首キャップ１２が下を向き、寝ている乳児２０が乳首キャップ１２をくわえてミルクを飲むことができる。更に、凹凸２の部分は、小さな乳児２０の手でも、握ることができるため、乳児２０が自ら哺乳瓶１０を安定した角度に調整保持し、哺乳瓶１０のミルクを飲むことができる。
【選択図】        図５
【図１】
0003721379.tif 000002
【図２】
0003721379.tif 000003
【図３】
0003721379.tif 000004
【図４】
0003721379.tif 000005
【図５】
0003721379.tif 000006
【図６】
0003721379.tif 000007
【図７】
0003721379.tif 000008